(57)【要約】【課題】  使用時に扉の前面から突出することがなく、かつ送受話器の掛け止め動作を迅速に行えるようにする。【解決手段】  プリント基板が収納され壁面等へ取り付けられる本体フレーム２と、本体フレーム２に装着されてその前面を覆う扉３とを有し、通話機能を備えたものにおいて、扉３の前面側の一側縁部に、凹陥部１１と凹陥部１１を覆う蓋１２とを設け、かつ蓋１２は扉３の側面側へ水平回動自在となるようにこの扉３に枢着され、この蓋１２の裏面側には送受話器を掛け止めするためのフック部１５を形成する。【選択図】        図１
2005234897.tif 000002
【特許請求の範囲】
【請求項１】
プリント基板が収納され壁面等へ取り付けられる本体フレームと、前記本体フレームに装着されてその前面を覆う扉とを有し、通話機能を備えた火災報知設備用機器において、
前記扉の前面側の一側縁部に、凹陥部と該凹陥部を覆う蓋とを設け、かつ前記蓋は前記扉の側面側へ水平回動自在となるように該扉に枢着され、該蓋の裏面側には送受話器を掛け止めするためのフック部が形成されてなることを特徴とする火災報知設備用機器。
【請求項２】
前記凹陥部の奥壁に、電話ジャックを配置したことを特徴とする請求項１記載の火災報知設備用機器。
【請求項３】
前記蓋は、前記凹陥部を開放した前記フック部の使用時および前記凹陥部を閉塞した前記フック部の未使用時に、前記扉の前面に対して略面一となるように、その形状および前記扉への枢着位置が設定されてなることを特徴とする請求項１又は請求項２記載の火災報知設備用機器。
【請求項４】
前記凹陥部の奥壁に、扉施錠部を設けたことを特徴とする請求項１乃至請求項３のいずれかに記載の火災報知設備用機器。
【発明の詳細な説明】
【技術分野】
【０００１】
本発明は、火災報知設備用機器、特に火災時や保守点検時等の際に、通話機能を備えた端末機器との間で電話線を介して通話を行うことのできる火災報知設備用機器に関する。
【背景技術】
【０００２】
火災報知設備用機器の一例である火災受信機においては、電話線を介して接続された発信機や表示機等の端末機器との間でメンテナンス時等に交信ができるように送受話器が付属されており、送受話器を使用する際は火災受信機の電話ジャックに送受話器の電話プラグを差し込んでいる。
【０００３】
しかし、このようなものにおいては、メンテナンス作業時等に、一時的に送受話器を使用しない状態が生じた場合、送受話器を火災受信機等に固定することができない。このため、送受話器をそのままぶらさげたり、送受話器をそのまま手に持っておいたり、火災受信機の上に置いておいたり、作業内容によっては送受話器の電話プラグを火災受信機の電話ジャックから外して待機する等の、取り扱い上の不都合があり、メンテナンス作業時の作業効率が低下するという問題があった。
【０００４】
そこで、扉の前面に送受話器を掛け止めするためのフック部を突設し、かつこのフック部は、未使用時には扉の前面に対して略面一となるように収納可能に設定して、端末機器との通話途中で一時的に防災監視盤の送受話器を使用しない状態が生じた場合に、送受話器を良好に掛け止めすることができるようにした防災監視盤が提案されている（例えば特許文献１）。
【０００５】
【特許文献１】特開２００１−１１１６６２号公報
【発明の開示】
【発明が解決しようとする課題】
【０００６】
しかしながら、送受話器を掛け止めするためのフック部を扉の前面に設けたものにあっては、フック部未使用時に扉の前面に対して略面一となるように収納できるようにしてはいるものの、フック部使用時には扉の前面から突出した状態で使用される。このため、送受話器への人体や物品等の衝突の危険性が増して、送受話器やフック部等の破損を招く虞れがあった。
【０００７】
また、掛け止め動作の際に、送受話器が扉前面に当たって扉を破損させることがないように注意しなければならず、迅速な掛け止め動作が困難であった。
【０００８】
本発明の技術的課題は、使用時に扉の前面から突出することがなく、かつ送受話器の掛け止め動作を迅速に行えるようにすることにある。
【課題を解決するための手段】
【０００９】
本発明の請求項１に係る火災報知設備用機器は、下記の構成からなるものである。すなわち、プリント基板が収納され壁面等へ取り付けられる本体フレームと、本体フレームに装着されてその前面を覆う扉とを有し、通話機能を備えた火災報知設備用機器において、扉の前面側の一側縁部に、凹陥部と該凹陥部を覆う蓋とを設け、かつ蓋は扉の側面側へ水平回動自在となるようにこの扉に枢着され、この蓋の裏面側には送受話器を掛け止めするためのフック部が形成されてなるものである。
【００１０】
また、本発明の請求項２に係る火災報知設備用機器は、凹陥部の奥壁に、電話ジャックを配置したものである。
【００１１】
また、本発明の請求項３に係る火災報知設備用機器は、凹陥部を開放したフック部の使用時および凹陥部を閉塞したフック部の未使用時に、扉の前面に対して略面一となるように、その形状および扉への枢着位置が設定されてなるものである。
【００１２】
また、本発明の請求項４に係る火災報知設備用機器は、凹陥部の奥壁に、扉施錠部を設けたものである。
【発明の効果】
【００１３】
請求項１に係る火災報知設備用機器において、フック部は、扉の前面側の一側縁部に設けられた凹陥部を覆う蓋の裏面側に設置され、フック部使用時は、蓋を水平方向に回動させて開くことによって蓋を扉の側面側へ突出させ、これによって裏面側のフック部を表側に露出させ、その状態で送受話器が掛け止めされる。このため、フック部使用時に扉前方への突出がなくなり、送受話器への人体や物品等の衝突の危険性が低減して、送受話器や蓋（フック部）等の破損の虞れがなくなる。また、使用時のフック部の後側に空間が存在するので、掛止動作の際に、従来のように送受話器が扉に当たって扉を破損させるようなことがなくなって、迅速な掛止動作が可能となる。
【００１４】
請求項２に係る火災報知設備用機器においては、凹陥部の奥壁に、電話ジャックを配置しているので、電話ジャックを凹陥部の蓋により覆うことができ、電話ジャックヘの埃の侵入を防止することができて、電話ジャックと電話プラグとの接触不良を回避することができる。そのため、従来のような、操作表示パネルに設けられた電話ジャックを保護する保護カバーが必要なくなるので、部品点数の削減が可能となる。
【００１５】
請求項３に係る火災報知設備用機器においては、凹陥部を開放したフック部の使用時および凹陥部を閉塞したフック部の未使用時に、扉の前面に対して略面一となるように、その形状および扉へ枢着位置が設定されているので、凹陥部閉塞時すなわちフック部未使用時だけでなく、凹陥部開放時すなわちフック部使用時においても扉前方への突出がなくなり、その結果、蓋（フック部）への人体や物品等の衝突の危険性が低減して、蓋（フック部）の破損の虞れがなくなる。
【００１６】
請求項４に係る火災報知設備用機器においては、凹陥部の奥壁に、扉施錠部を設けたので、容易な扉の解錠を防止することができる。すなわち、火災報知設備用機器は、内部に防災監視用の電気、電子機器を搭載したプリント基板および操作表示パネルを収納し、防災管理担当者や保守管理担当者以外の者が、容易に扉を開扉できないように例えば雄ねじ、雌ねじからなるロック金具等により閉止されている。したがって、このロック金具等を凹陥部の奥壁に設け、凹陥部の蓋で隠蔽することで、いたずら等の悪意による容易な扉の解錠を防止することができる。
【発明を実施するための最良の形態】
【００１７】
図１は本発明の一実施形態に係る火災報知設備用機器の要部である凹陥部および蓋（フック部）と送受話器との関係を示す斜視図、図２はその全体の外観を示す斜視図、図３はその凹陥部を蓋で閉じた状態を示す斜視図、図４はその凹陥部を蓋で閉じた状態を示す正面図、図５は図４のＡ−Ａ線矢視断面図、図６は図４のＢ−Ｂ線矢視断面図、図７はその凹陥部の蓋を開けた状態を示す正面図、図８は図７のＣ−Ｃ線矢視断面図である。なお、ここでは火災報知設備用機器として火災受信機を例に挙げて説明する。
【００１８】
本実施形態の火災報知設備用機器すなわち火災受信機は、電話線を介して接続された、通話機能を有する端末機器、例えば発信機との間で通話を可能とするための通話機能を有し、その筐体１が、プリント基板（図示せず）が収納される有底枠状の本体フレーム２と、本体フレーム２の一側辺側で枢着されてその前面を開閉自在に覆う浅い箱状の扉３とから構成され、本体フレーム２の底壁２ａの上辺近傍の左右２個所に、これを壁面等に取付けるためのねじ挿通穴（図示せず）が形成されている。また、プリント基板（図示せず）上に設けられた操作表示パネル２０が、扉３の前面３ａに形成された開口１９内に配置されている。
【００１９】
扉３の前面側の一側縁部には、その角部より凹陥させて形成した凹陥部１１と、凹陥部１１を覆う蓋１２とが設けられている。蓋１２は、扉３の側面側へ水平回動自在となるように軸１３を介して扉３に枢着され、凹陥部を閉塞した閉蓋時（図５，６）や凹陥部を開放した開蓋時（図８）に、扉３の前面３ａに対して略面一となるように、その形状および扉３への枢着位置が設定されている。また、蓋１２の裏面側の一側には、送受話器１４を掛け止めするためのフック部１５が形成されているとともに、蓋１２の裏面側の他側に、図１，６のように操作部１６ａと突起１６ｂを有するＵ字状の係止部１６が設けられ、係止部１６が凹陥部１１の側壁１１ａに形成した孔１１ｂのエッジに弾性的に係合することによって、凹陥部閉蓋時（図５，６）の状態が保持されるようになっている。
【００２０】
また、凹陥部１１の奥壁１１ｃに、送受話器１４を使用する際にその電話プラグ１４ａが差し込まれる電話ジャック１７が配置されており、この電話ジャック１７は、プリント基板（図示せず）に配線接続されている。さらに、奥壁１１ｃには、電話ジャック１７に隣接させて、扉施錠部となる雄ねじ１８が貫通して設けられているとともに、本体フレーム２の底壁２ａにおける雄ねじ１８と対向する部位に、先端に雌ねじ部２ｂを有する柱状部２ｃが立設され、扉施錠時には、雄ねじ１８の先端を柱状部２ｃの雌ねじ部２ｂにねじ込むことで、扉３を本体フレーム２に固定するようになっている。
【００２１】
以上の構成を有する本実施形態の火災報知設備用機器すなわち火災受信機において、通常時は、図２のように扉３が本体フレーム２に固定された施錠状態にあり、かつ凹陥部１１も蓋１２によって閉じられて、電話ジャック１７ヘの埃の侵入が防止されている。これにより、送受話器１４の使用時には電話ジャック１７と電話プラグ１４ａとの接触不良を回避することができる。
【００２２】
また、扉施錠部となる雄ねじ１８が蓋１２によって隠蔽されているので、いたずら等の悪意による容易な扉の解錠も防止できる。
【００２３】
また、閉蓋時（フック部未使用時）に、蓋１２の前面が扉３の前面に対して略面一となるように、その形状および扉３への取付位置が設定されているので、蓋１２への人体や物品等の衝突の危険性が低減して、蓋の破損の虞れがなくなる。
【００２４】
次に、例えば発信機との間で通話を行うために送受話器１４を使用する場合について説明する。まず、図２〜６の状態にある蓋１２の操作部１６ａを左方に押し、突起１６ｂと孔１１ｂのエッジとの係合を解き、そのまま手前に引いて、図８のように蓋１２の前面が凹陥部１１の奥壁１１ｃに当接するまで（１８０°）軸１３を中心に扉３の側面側へ水平回動させる。これにより、蓋１２の裏面側の端面が図１，８のように扉３の前面に対して略面一となった状態となり、かつフック部１５が表側に露出するとともに、電話ジャック１７も露出する。これにより、図１に破線矢印で示すように電話ジャック１７ヘ電話プラグ１４ａを差し込めば、送受話器１４の使用が可能となる。
【００２５】
また、一時的に送受話器１４を使用しない状態が生じた場合は、図１に一点鎖線矢印で示すごとく送受話器１４を上方よりおろすようにフック部１５に掛け止めする。なお、フック部１５は蓋１２開蓋状態で送受話器１４を掛け止めした時に送受話器１４が扉３の前面に対して突出しない、略面一となる位置に設けられている。したがって、このフック部使用時にも扉３前方への突出がなくなり、送受話器１４、蓋１２（フック部１５）への人体や物品等の衝突の危険性が低減して、送受話器１４、蓋１２（フック部１５）等の破損の虞れがなくなる。さらに使用時のフック部１５の後方に空間が存在するので、掛け止め動作の際に、従来のように送受話器１４が扉に当たって扉を破損させるようなことはなくなって、迅速な掛け止め動作が可能となる。なお、火災報知設備用機器は、通常、壁面等に設置され、その前面以外に人体や物品等の出入りがないので、フック部が側面方向に突出しても何ら問題はない。
この状態において、電話ジャック１７、フック部１５、送受話器１４が操作表示パネル２０と離れた位置関係に配置されているので、メンテナンス等で送受話器１４を使用しながらも、操作表示パネル１４の操作性や視認性を良好に確保できる。
【００２６】
上記実施例において、電話プラグと電話ジャックの構成は、従来からある送受話器に接続されたピンプラグとこのピンプラグに対応したピンジャックによる構成、または送受話器に接続された汎用のモジュラープラグとこのモジュラープラグに対応したモジュラージャックによる構成、のいずれでもよい。
なお、ここでは火災報知設備用機器として火災受信機を例に挙げて説明したが、それ以外の火災表示器や操作器等にも本発明を適用することができる。
【図面の簡単な説明】
【００２７】
【図１】本発明の一実施形態に係る火災報知設備用機器の要部である凹陥部および蓋（フック部）と送受話器との関係を示す斜視図である。
【図２】本実施形態に係る火災報知設備用機器の全体の外観を示す斜視図である。
【図３】本実施形態に係る火災報知設備用機器の凹陥部を蓋で閉じた状態を示す斜視図である。
【図４】本実施形態に係る火災報知設備用機器の凹陥部を蓋で閉じた状態を示す正面図である。
【図５】図４のＡ−Ａ線矢視断面図である。
【図６】図４のＢ−Ｂ線矢視断面図である。
【図７】本実施形態に係る火災報知設備用機器の凹陥部の蓋を開けた状態を示す正面図である。
【図８】図７のＣ−Ｃ線矢視断面図である。
【符号の説明】
【００２８】
２  本体フレーム
３  扉
１１  凹陥部
１１ｃ  凹陥部の奥壁
１２  蓋
１４  送受話器
１５  フック部
１７  電話ジャック
１８  雄ねじ（扉施錠部）
【図１】
2005234897.tif 000003
【図２】
2005234897.tif 000004
【図３】
2005234897.tif 000005
【図４】
2005234897.tif 000006
【図５】
2005234897.tif 000007
【図６】
2005234897.tif 000008
【図７】
2005234897.tif 000009
【図８】
2005234897.tif 000010